(57)【要約】【課題】移動体に搭載された地上波デジタルＴＶ放送用の受信機においてより適切なチャンネルリストを作成する。【解決手段】各物理チャンネルを受信してその受信状態を検知する受信状態検知手段と、該検知された受信状態が良好か否かを判定する受信状態判定手段と、所定の情報を参照して、該良好と判定された物理チャンネルに対応付けられた選局番号を取得する選局番号取得手段と、該良好と判定された物理チャンネルの情報と該選局番号とを対応付けた情報をチャンネルリストに登録する対応情報登録手段とを具備し、該良好と判定された物理チャンネルの中で選局番号が重複するものがあるとき、受信状態検知手段による検知結果を参照して、その中で受信状態が最も良好な物理チャンネルの情報を当該選局番号に対応付けてチャンネルリストに登録するよう対応情報登録手段を動作させる。【選択図】図２
2008011315.tif 000002
【特許請求の範囲】
【請求項１】
地上波デジタルテレビジョン放送を受信してそのチャンネルリストを作成可能なテレビジョン放送受信機において、
地上波デジタルテレビジョン放送の各物理チャンネルを受信してその受信状態を検知する受信状態検知手段と、
該検知された受信状態が良好か否かを判定する受信状態判定手段と、
所定の情報を参照して、その受信状態が良好と判定された物理チャンネルに対応付けられたユーザ・オペレーション用の選局番号を取得する選局番号取得手段と、
該受信状態が良好と判定された物理チャンネルの情報と該選局番号とを対応付けた情報をチャンネルリストに登録する対応情報登録手段と、を具備し、
前記対応情報登録手段は、該受信状態が良好と判定された物理チャンネルの中で選局番号が重複するものがあるとき、前記受信状態検知手段による検知結果を参照して、その中で受信状態が最も良好な物理チャンネルの情報を当該選局番号に対応付けてチャンネルリストに登録すること、を特徴とするテレビジョン放送受信機。
【請求項２】
前記受信状態検知手段は、地上波デジタルテレビジョン放送に含まれる階層の中の少なくとも１つの階層のＢＥＲ（Bit Error Rate）の値を取得すること、を特徴とする請求項１に記載のテレビジョン放送受信機。
【請求項３】
該少なくとも１つの階層が、移動体に搭載された受信機向けの放送データを伝送する階層であること、を特徴とする請求項２に記載のテレビジョン放送受信機。
【請求項４】
受信した地上波デジタルテレビジョン放送を復調する復調手段を更に具備し、
該所定の情報は、該復調後に得られるＮＩＴ（Network Information Table）であること、を特徴とする請求項１から請求項３の何れかに記載のテレビジョン放送受信機。
【請求項５】
前記選局番号は該復調後に得られるリモコンＩＤであること、を特徴とする請求項４に記載のテレビジョン放送受信機。
【請求項６】
地上波デジタルテレビジョン放送を受信してそのチャンネルリストを作成可能なテレビジョン放送受信機において、
地上波デジタルテレビジョン放送の各物理チャンネルを受信してその受信状態を検知する受信状態検知手段と、
所定の情報を参照して、その受信状態が検知された物理チャンネルに対応付けられたユーザ・オペレーション用の選局番号を取得する選局番号取得手段と、
その受信状態が検知された物理チャンネルの情報と該選局番号とを対応付けた情報をチャンネルリストに登録する対応情報登録手段と、を具備し、
前記対応情報登録手段は、該受信状態が検知された物理チャンネルの中で選局番号が重複するものがあるとき、その中で受信状態が最も良好な物理チャンネルの情報を当該選局番号に対応付けてチャンネルリストに登録すること、を特徴とするテレビジョン放送受信機。
【請求項７】
移動体に備えられていること、を特徴とする請求項１から請求項６の何れかに記載のテレビジョン放送受信機。
【請求項８】
地上波デジタルテレビジョン放送を受信してそのチャンネルリストを作成するためのチャンネルリスト作成方法において、
地上波デジタルテレビジョン放送の各物理チャンネルを受信してその受信状態を検知する受信状態検知ステップと、
該検知された受信状態が良好か否かを判定する受信状態判定ステップと、
所定の情報を参照して、その受信状態が良好と判定された物理チャンネルに対応付けられたユーザ・オペレーション用の選局番号を取得する選局番号取得ステップと、
該受信状態が良好と判定された物理チャンネルの情報と該選局番号とを対応付けた情報をチャンネルリストに登録する対応情報登録ステップと、を含み、
前記対応情報登録ステップで、該受信状態が良好と判定された物理チャンネルの中で選局番号が重複するものがあるとき、前記受信状態検知ステップにおける検知結果を参照して、その中で受信状態が最も良好な物理チャンネルの情報を当該選局番号に対応付けてチャンネルリストに登録する、チャンネルリスト作成方法。
【請求項９】
前記受信状態検知ステップで、地上波デジタルテレビジョン放送に含まれる階層の中の少なくとも１つの階層のＢＥＲ（Bit Error Rate）の値を取得すること、を特徴とする請求項１に記載のチャンネルリスト作成方法。
【請求項１０】
受信した地上波デジタルテレビジョン放送を復調する復調ステップを更に含み、
該所定の情報は、該復調後に得られるＮＩＴ（Network Information Table）であること、を特徴とする請求項８又は請求項９の何れかに記載のチャンネルリスト作成方法。
【請求項１１】
地上波デジタルテレビジョン放送を受信してそのチャンネルリストを作成するためのチャンネルリスト作成方法において、
地上波デジタルテレビジョン放送の各物理チャンネルを受信してその受信状態を検知する受信状態検知ステップと、
所定の情報を参照して、その受信状態が検知された物理チャンネルに対応付けられたユーザ・オペレーション用の選局番号を取得する選局番号取得ステップと、
その受信状態が検知された物理チャンネルの情報と該選局番号とを対応付けた情報をチャンネルリストに登録する対応情報登録ステップと、を含み、
前記対応情報登録ステップで、該受信状態が検知された物理チャンネルの中で選局番号が重複するものがあるとき、その中で受信状態が最も良好な物理チャンネルの情報を当該選局番号に対応付けてチャンネルリストに登録する、チャンネルリスト作成方法。
【請求項１２】
請求項８から請求項１１の何れかに記載のチャンネルリスト作成方法をコンピュータに実行させるためのチャンネルリスト作成プログラム。
【発明の詳細な説明】
【技術分野】
【０００１】
この発明は、地上波デジタルテレビジョン放送を受信してそのチャンネルリストを作成可能なテレビジョン放送受信機に関する。また、地上波デジタルテレビジョン放送を受信してそのチャンネルリストを作成するためのチャンネルリスト作成方法及びチャンネルリスト作成プログラムに関する。
【背景技術】
【０００２】
衛星デジタルＴＶ放送では、各放送局の放送に割り当てられているサービスＩＤ（例えば物理チャンネルの情報）が全国的にユニークであり、サービスＩＤが表す番号と、リモコン上で視聴者が選局に用いる番号（以下、「選局用番号」と記す）とが一致する。これは、放送ネットワーク内に全てのＴＳ（Transport Stream）が存在し、その中で全ての事業者がサービスの提供（ここでは「番組の放送」を意味する）を行っており、１００から９９９までの３桁の値を使用するだけで全てのサービスをユニークに定義することができるためである。
【０００３】
これに対して地上波デジタルＴＶ放送では、地域毎にサービスを提供する事業者が異なるうえ、同一地域内であってもその受信環境により受信可能なＴＳが異なる。従って受信機の設置場所によって受信可能なＴＳが異なる。このような場合において全国の事業者の全サービスに対してユニークなサービスＩＤを割り当てたとき、それらは４桁の番号や視聴者になじみのない１６進数で表さざるを得ない。このため地上波デジタルＴＶ放送では、サービスＩＤと選局用番号とを一致させず、サービスＩＤとリモコンＩＤとの組み合わせに基づいて選局用番号を算出できるようにしている。これにより、各放送局の放送に割り当てられているサービスＩＤを全国的にユニークにすると共に、視聴者が３桁の選局用番号で選局することを実現可能としている。なおリモコンＩＤとは、地上波デジタルＴＶ放送のＮＩＴ（Network Information Table）に含まれる情報であり、リモコン上での選局用の数値に相当する。従って実際には、視聴者はリモコンＩＤの数値をリモコン上で選択することになり、ＴＶ放送受信機内部でその入力が３桁の選局用番号として認識される。
【０００４】
ところが、リモコンＩＤは地域単位ではユニークであるが全国的にはユニークではない。例えば関東ではテレビ埼玉、ＴＶＫ、ちばテレビにリモコンＩＤ「３」が割り当てられている。地上波デジタルＴＶ放送用の固定受信機では所定の地域番号をユーザが設定する。例えば埼玉県の視聴者はその地域番号を埼玉県に対応する番号に設定し、千葉県の視聴者はその地域番号を千葉県に対応する番号に設定することになる。これにより、固定受信機でチャンネルの設定操作が行われたとき、その設置場所が例えば埼玉県である場合、選局用番号「３」にはテレビ埼玉が割り当てられる。またその設置場所が例えば千葉県である場合、選局用番号「３」にはちばテレビが割り当てられる。
【０００５】
ここで、地上波デジタルＴＶ放送用の受信機が例えば車両等の移動体に具備されたものであるとき、以下の問題が生じ得る。例えば移動体が移動して放送エリアを跨ぐような場合（例えばある放送局がカバーする放送エリアから別の放送局がカバーする放送エリアに移動体が移る場合）、そのＴＶ放送受信機が受信可能なサービスは変わる。従ってこのＴＶ放送受信機において地域番号が埼玉県に対応したものに設定されている場合、例えばテレビ埼玉の受信状態が悪くちばテレビの受信状態が良好な放送エリアに車両が移動しても、選局用番号「３」には埼玉テレビが割り当てられたままである。このような観点から、移動体のＴＶ放送受信機において地域番号を設定することは望ましくない。
【０００６】
移動体のＴＶ放送受信機には、各放送エリアに対応したサービスを受信するためのチャンネルスキャン機能が実装されている。例えば下記特許文献１には、車両の移動等に対応したチャンネルスキャン処理を実行するのに好適なＴＶ放送受信機が開示されている。下記特許文献１によれば、例えばユーザ・オペレーションに呼応して全物理チャンネルに対する受信強度のスキャン処理を実行し、現状でその受信状態が良好な物理チャンネルと放送局との対応関係を示すリスト（以下、「チャンネルリスト」と記す）を作成する。そして移動体のＴＶ放送受信機は、ユーザ・オペレーションによる選局に応じてチャンネルリストを参照し、適切なチューニング動作を実行することができる。これにより視聴者は、例えば現在位置する放送エリアで受信状態が良好なＴＶ番組を視聴することができる。
【特許文献１】特開２００６−１３９４５号公報
【発明の開示】
【発明が解決しようとする課題】
【０００７】
しかし、上記特許文献１に記載のＴＶ放送受信機では、同一のリモコンＩＤが割り当てられた物理チャンネルを複数受信可能な場合（例えばテレビ埼玉とちばテレビとを受信可能な場合）、受信状態がより良好なものが登録されたチャンネルリストが作成されるとは限らない。これは、上記特許文献１に記載のＴＶ放送受信機では、例えば各物理チャンネルの受信状態が所定の条件を満たすか否かに基づいてチャンネルリストを作成しているだけに過ぎず、両放送局がこの条件を満たす場合には、例えばユーザの操作によってテレビ埼玉又はちばテレビの何れかを選択することになるためである。
【０００８】
そこで、本発明は上記の事情に鑑みて、移動体に搭載された地上波デジタルＴＶ放送用の受信機においてチャンネルリストを作成するのに好適なＴＶ放送受信機、チャンネルリスト作成方法、及び、チャンネルリスト作成プログラムを提供することを課題としている。
【課題を解決するための手段】
【０００９】
上記の課題を解決する本発明の一態様に係るＴＶ放送受信機は、地上波デジタルＴＶ放送を受信してそのチャンネルリストを作成可能な受信機に関するものである。このＴＶ放送受信機は、地上波デジタルＴＶ放送の各物理チャンネルを受信してその受信状態を検知する受信状態検知手段と、該検知された受信状態が良好か否かを判定する受信状態判定手段と、所定の情報を参照して、その受信状態が良好と判定された物理チャンネルに対応付けられたユーザ・オペレーション用の選局番号を取得する選局番号取得手段と、該受信状態が良好と判定された物理チャンネルの情報と該選局番号とを対応付けた情報をチャンネルリストに登録する対応情報登録手段とを具備したものであり、対応情報登録手段が、該受信状態が良好と判定された物理チャンネルの中で選局番号が重複するものがあるとき、受信状態検知手段による検知結果を参照して、その中で受信状態が最も良好な物理チャンネルの情報を当該選局番号に対応付けてチャンネルリストに登録することを特徴としたものである。
【００１０】
このように構成されたＴＶ放送受信機によれば、受信状態が良好であり同一の選局番号に対応付けられた物理チャンネルが複数存在する場合、その中で最も適切な物理チャンネルの情報をチャンネルリストに確実に登録することができる。
【００１１】
ここで、上記受信状態検知手段は、例えば地上波デジタルＴＶ放送に含まれる階層の中の少なくとも１つの階層のＢＥＲ（Bit Error Rate）の値を取得することができる。この少なくとも１つの階層は、例えば移動体に搭載された受信機向けの放送データを伝送する階層である。
【００１２】
なお上記ＴＶ放送受信機は、例えば受信した地上波デジタルＴＶ放送を復調する復調手段を更に具備したものであっても良い。この場合、該所定の情報は、例えば該復調後に得られるＮＩＴ（Network Information Table）である。また、選局番号は該復調後に得られるリモコンＩＤであり得る。
【００１３】
また上記の課題を解決する本発明の別の態様に係るＴＶ放送受信機は、地上波デジタルＴＶ放送を受信してそのチャンネルリストを作成可能な受信機に関するものである。このＴＶ放送受信機は、地上波デジタルＴＶ放送の各物理チャンネルを受信してその受信状態を検知する受信状態検知手段と、所定の情報を参照して、その受信状態が検知された物理チャンネルに対応付けられたユーザ・オペレーション用の選局番号を取得する選局番号取得手段と、その受信状態が検知された物理チャンネルの情報と該選局番号とを対応付けた情報をチャンネルリストに登録する対応情報登録手段とを具備したものであり、対応情報登録手段が、該受信状態が検知された物理チャンネルの中で選局番号が重複するものがあるとき、その中で受信状態が最も良好な物理チャンネルの情報を当該選局番号に対応付けてチャンネルリストに登録することを特徴としたものである。
【００１４】
また上記ＴＶ放送受信機は例えば移動体に備えられたものであっても良い。
【００１５】
また上記の課題を解決する本発明の一態様に係るチャンネルリスト作成方法は、地上波デジタルＴＶ放送を受信してそのチャンネルリストを作成するための方法である。このチャンネルリスト作成方法は、地上波デジタルＴＶ放送の各物理チャンネルを受信してその受信状態を検知する受信状態検知ステップと、該検知された受信状態が良好か否かを判定する受信状態判定ステップと、所定の情報を参照して、その受信状態が良好と判定された物理チャンネルに対応付けられたユーザ・オペレーション用の選局番号を取得する選局番号取得ステップと、該受信状態が良好と判定された物理チャンネルの情報と該選局番号とを対応付けた情報をチャンネルリストに登録する対応情報登録ステップとを含んだものであり、対応情報登録ステップで、該受信状態が良好と判定された物理チャンネルの中で選局番号が重複するものがあるとき、受信状態検知ステップにおける検知結果を参照して、その中で受信状態が最も良好な物理チャンネルの情報を当該選局番号に対応付けてチャンネルリストに登録する方法である。
【００１６】
このように構成されたＴＶ放送受信方法によれば、受信状態が良好であり同一の選局番号に対応付けられた物理チャンネルが複数存在する場合、その中で最も適切な物理チャンネルの情報をチャンネルリストに確実に登録することができる。
【００１７】
ここで、上記受信状態検知ステップでは、例えば地上波デジタルＴＶ放送に含まれる階層の中の少なくとも１つの階層のＢＥＲ（Bit Error Rate）の値を取得され得る。
【００１８】
なお上記ＴＶ放送受信方法は、例えば受信した地上波デジタルＴＶ放送を復調する復調ステップを更に含んだものであっても良い。この場合、該所定の情報は、例えば該復調後に得られるＮＩＴ（Network Information Table）である。
【００１９】
また上記の課題を解決する本発明の別の態様に係るチャンネルリスト作成方法は、地上波デジタルＴＶ放送を受信してそのチャンネルリストを作成するための方法である。このチャンネルリスト作成方法は、地上波デジタルＴＶ放送の各物理チャンネルを受信してその受信状態を検知する受信状態検知ステップと、所定の情報を参照して、その受信状態が検知された物理チャンネルに対応付けられたユーザ・オペレーション用の選局番号を取得する選局番号取得ステップと、その受信状態が検知された物理チャンネルの情報と該選局番号とを対応付けた情報をチャンネルリストに登録する対応情報登録ステップとを含んだものであり、対応情報登録ステップで、該受信状態が検知された物理チャンネルの中で選局番号が重複するものがあるとき、その中で受信状態が最も良好な物理チャンネルの情報を当該選局番号に対応付けてチャンネルリストに登録する方法である。
【００２０】
また上記の課題を解決する本発明の一態様に係るチャンネルリスト作成プログラムは、上記チャンネルリスト作成方法をコンピュータに実行させるためのプログラムである。
【発明の効果】
【００２１】
本発明によれば、例えば移動体に搭載された地上波デジタルＴＶ放送用の受信機においてチャンネルリストを作成するのに好適なＴＶ放送受信機、チャンネルリスト作成方法、及び、チャンネルリスト作成プログラムが提供される。
【発明を実施するための最良の形態】
【００２２】
以下、図面を参照して、本発明の実施の形態のＴＶ放送受信機の構成及び作用について説明する。
【００２３】
図１は、本発明の実施の形態のＴＶ放送受信機を具備した映像音声出力装置１００の構成を示したブロック図である。映像音声出力装置１００は例えば移動体である車両に搭載されている。映像音声出力装置１００は地上波デジタルＴＶ放送を受信して処理できるよう構成されている。
【００２４】
映像音声出力装置１００は、制御部１０、デジタルＴＶ用アンテナ１１、デジタルＴＶ用チューナ１２、ＯＦＤＭ（Orthogonal Frequency Division Multiplexing：直交周波数分割多重）復調部１３、ＭＰＥＧ（Moving Picture Experts Group）デコーダ１４、音声Ｄ／Ａコンバータ２１、オーディオアンプ２４、メモリ４０、ディスプレイ５０、スピーカ６０Ｒ、６０Ｌ、及び、受光部７０を具備する。また入力インタフェースとしてリモート・コントローラ（以下、「リモコン」と記す）８０を具備する。
【００２５】
リモコン８０には映像音声出力装置１００を操作するための操作キーが設けられている。例えば上記リモコンＩＤに対応した選局用番号を入力するためのテンキー「０」乃至「９」が設けられている。ユーザがリモコン８０を操作すると、その操作に応じた制御パルスがリモコン８０から出力される。この制御パルスは例えばＩｒＤＡ規格に準拠した信号である。受光部７０はこの制御パルスを受信すると、それを制御部１０に渡す。なおリモコン８０が操作されているときには、例えばディスプレイ５０の表示が操作画面に切り替わるようにしても良く、或いは、操作に関する文字情報がディスプレイ５０に表示中の画像に重畳表示されるようにしても良い。
【００２６】
制御部１０は映像音声出力装置１００全体の統括的な制御を司る。制御部１０は、例えば自己に実装された各種プログラム及び受光部７０からの制御パルスに基づいて各構成要素を制御するよう動作する。
【００２７】
ここで、映像音声出力装置１００における一連の信号処理について説明する。
【００２８】
デジタルＴＶ用アンテナ１１は、地上波デジタルＴＶ放送の各物理チャンネルのＲＦ（Radio Frequency）信号を受信する機能を有する。デジタルＴＶ用アンテナ１１で受信された各ＲＦ信号は、デジタルＴＶ用チューナ１２に入力する。
【００２９】
デジタルＴＶ用チューナ１２は、入力された各ＲＦ信号の中から制御部１０により指定された選局用番号に対応する物理チャンネル（以下、「選局チャンネル」と記す）のＲＦ信号を選択して周波数変換を行う。具体的には、安定動作や選択特性が改善される中間周波数すなわちＩＦ（Intermediate Frequency）信号に変換する。周波数変換後のＩＦ信号は、図示しないＢＰＦ（Band Pass Filter）により不要な周波数成分が除去された後、ＯＦＤＭ復調部１３に入力する。
【００３０】
上記選局チャンネルは、例えばユーザ・オペレーションによる選局に従って決定される。具体的には、ユーザがリモコン８０を操作して選局を行うと、その操作で入力された選局用番号を示す制御パルスがリモコン８０から出力される。受光部７０がこの制御パルスを受信して制御部１０に渡すと、制御部１０は、その選局用番号に対応した選局チャンネルのＲＦ信号を選択するようデジタルＴＶ用チューナ１２に命令を出す。デジタルＴＶ用チューナ１２はこの命令に従ってチューニング処理を実行する。なおユーザ・オペレーションにより選択可能なチャンネルは、後述のチャンネルスキャン処理で作成されるチャンネルリストに含まれているものである。
【００３１】
なお制御部１０は、デジタルＴＶ用チューナ１２に命令を出すと共に選局チャンネルの情報をメモリ４０に書き込む。従ってメモリ４０には、常に、ユーザが最後に選択したチャンネルの情報（以下、「ラストチャンネル」と記す）を保持されることになる。ユーザによる選局操作が行われていない場合（例えば電源投入直後等）、制御部１０はメモリ４０を参照して、ラストチャンネルに対応するＲＦ信号を選択するようデジタルＴＶ用チューナ１２に命令を出す。
【００３２】
ＯＦＤＭ復調部１３は、入力されたＩＦ信号をＡ／Ｄ変換してデジタル信号に変換する。次いで、変換されたデジタル信号を例えば数千のキャリアに分割し、各キャリア毎に位相を合わせて合成（例えば周知の最大比合成）処理を行った上で復調する。これにより、ＭＰＥＧ−２トランスポートストリーム信号（以下、「ＴＳ信号」と記す）が得られる。このＴＳ信号はＭＰＥＧデコーダ１４に出力される。
【００３３】
またＯＦＤＭ復調部１３は、受信した物理チャンネルの品質を表すＢＥＲ（Bit Error Rate）を制御部１０に渡す。ここで、地上波デジタルＴＶ放送では階層伝送が採用されている。この「階層伝送」とは、同一伝送帯域内でサービス内容に応じて複数の伝送性能による放送を可能とする伝送方式である。このような階層伝送には例えば「強階層」、「中階層」、「弱階層」から成る３階層の伝送方式がある。本実施形態における階層伝送は３階層のものであるとする。また例えば「強階層」は携帯受信階層、「中階層」は固定受信階層、「弱階層」は移動受信階層であるものとする。携帯受信階層は、携帯電話向けの放送データ（所謂ワンセグ）を伝送する階層である。また固定受信階層は、家庭用ＴＶ向けの放送データを伝送する階層である。また移動受信階層は、車両等の移動体に搭載されたＴＶ放送受信機向けの放送データを伝送する階層である。ＯＦＤＭ復調部１３は、各階層のＢＥＲを制御部１０に渡す。
【００３４】
ＭＰＥＧデコーダ１４は、入力されたＴＳ信号をデコードする。これによりＴＳ信号が、デジタルＴＶ放送の映像信号及びデジタルフォーマットの音声信号にデコードされる。デコードされた映像信号はディスプレイ５０に出力される。また音声信号は音声Ｄ／Ａコンバータ２１に出力される。
【００３５】
ＭＰＥＧデコーダ１４から出力された映像信号がディスプレイ５０に入力することで、地上波デジタルＴＶ放送の番組がディスプレイ５０の画面に表示される。
【００３６】
音声Ｄ／Ａコンバータ２１は、ＭＰＥＧデコーダ１４からの音声信号をＤ／Ａ変換してオーディオアンプ２４に出力する。
【００３７】
オーディオアンプ２４は音声切替スイッチ２３からの音声信号を増幅してスピーカ６０Ｒ及び６０Ｌに出力する。これにより、地上波デジタルＴＶ放送の番組の音声がスピーカ６０Ｒ及び６０Ｌで再生される。
【００３８】
次に、本実施形態の映像音声出力装置１００で実行されるチャンネルスキャン処理について説明する。図２に示されたフローチャートを参照して、本実施形態のチャンネルスキャン処理について説明する。本実施形態のチャンネルスキャン処理は、例えばチャンネルスキャン処理開始のユーザ・オペレーションによる入力信号をトリガーとして開始される。
【００３９】
制御部１０にはカウンタ部１０ａが内蔵されている。チャンネルスキャン処理開始のユーザ・オペレーションが成されると、制御部１０は、カウンタ部１０ａのカウント値ｎを初期値にセットする（ステップ１、以下、明細書及び図面においてステップを「Ｓ」と略記）。本実施形態ではスキャンすべきチャンネルが例えばＵＨＦ（Ultrahigh Frequency）帯（「１３」乃至「６２」チャンネル）であるものとし、カウント値ｎは初期的には「１３」にセットされる。
【００４０】
制御部１０はＳ１の処理に次いで、ｎが最大値（ここでは「６２」）であるか否かを判定する（Ｓ２）。ｎが６２であると判定されるとき（Ｓ２：ＹＥＳ）、制御部１０は、全ての物理チャンネルに対するスキャンが終了してチャンネルリストが作成されたものと判断し、本フローチャートを終了させる。これに対してｎが６２でないと判定されるとき、（Ｓ２：ＮＯ）、制御部１０は、全ての物理チャンネルに対するスキャンがまだ終了していないと判断してＳ３の処理に進む。
【００４１】
Ｓ３の処理において制御部１０は、カウント値ｎに対応する物理チャンネルを選局するようデジタルＴＶ用チューナ１２を制御する。デジタルＴＶ用チューナ１２は、当該物理チャンネルに対応したＲＦ信号を選択してＩＦ信号に変換する。そして変換されたＩＦ信号をＯＦＤＭ復調部１３に出力する。
【００４２】
上記ＩＦ信号が地上波デジタルＴＶ放送のものであるとき、ＯＦＤＭ復調部１３はフレーム同期情報を取得することができ、それを制御部１０に渡す。制御部１０は、ＯＦＤＭ復調部１３からフレーム同期情報を受け渡されると（Ｓ４：ＹＥＳ）、選局中の物理チャンネルが地上波デジタルＴＶ放送であると判断する。次いで、選局中の物理チャンネルの各階層のＢＥＲをＯＦＤＭ復調部１３にリクエストする。ＯＦＤＭ復調部１３はこのリクエストに呼応して、各階層のＢＥＲを制御部１０に渡す（Ｓ５）。
【００４３】
また制御部１０は、ＯＦＤＭ復調部１３からフレーム同期情報を受け渡されなかったとき（Ｓ４：ＮＯ）、選局中の物理チャンネルが地上波デジタルＴＶ放送でないと判断する。次いでカウント値ｎを１インクリメントし（Ｓ１２）、次に選局され得る物理チャンネルに対する処理を実行するためＳ２の処理に復帰する。
【００４４】
制御部１０はＳ５の処理に次いで、「弱階層」のＢＥＲが第一の閾値以下か否かを判定する（Ｓ６）。「弱階層」のＢＥＲが第一の閾値以下であると判定されるとき（Ｓ６：ＹＥＳ）、制御部１０は、選局中の物理チャンネルの受信状態が良好であると判断してＳ７の処理に進む。また「弱階層」のＢＥＲが第一の閾値よりも高いと判定されるとき（Ｓ６：ＮＯ）、制御部１０は、選局中の物理チャンネルの受信状態が悪いと判断してカウント値ｎを１インクリメントし（Ｓ１２）、Ｓ２の処理に復帰する。ここでいう第一の閾値とは、例えば受信限界（地上波デジタルＴＶ放送の受信強度が低下して当該放送の音声・映像を正常に出力できない状態）におけるＢＥＲに相当するものである。
【００４５】
本実施形態では映像音声出力装置１００が車両に搭載されたものであり、種々の放送エリア間を移動し得るためＳ６の判定処理で「弱階層」（すなわち移動受信階層）のＢＥＲを用いるよう設定されている。なおユーザが車両で遠出することが殆どない場合には、映像音声出力装置１００の設置場所が単一の放送エリア内に留まっているとみなすことができる。このような場合、例えば「弱階層」の代替として「中階層」のＢＥＲを用いてＳ６の判定処理を行うよう設定することもできる。また映像音声出力装置１００がワンセグ対応のものであれば、「弱階層」の代替として「強階層」のＢＥＲを用いてＳ６の判定処理を行うよう設定することもできる。Ｓ６の判定処理で何れの階層のＢＥＲを用いるかについては例えば所定のユーザ・オペレーションにより設定可能である。
【００４６】
ＯＦＤＭ復調部１３の出力信号（すなわちＴＳ信号）は、上述したようにＭＰＥＧデコーダ１４でデコードされる。このときＭＰＥＧデコーダ１４は比較的短い固定長のＴＳパケットという信号形式を用いてＴＳ信号を処理する。そしてこの処理で取得されるＮＩＴを制御部１０に渡す。制御部１０はＭＰＥＧデコーダ１４からＮＩＴを受け渡されると（Ｓ７：ＹＥＳ）、Ｓ８の判定処理に進む。また制御部１０は、ＭＰＥＧデコーダ１４からＮＩＴを受け渡されなかったとき（Ｓ７：ＮＯ）、選局中の物理チャンネルの受信が失敗であると判断してカウント値ｎを１インクリメントし（Ｓ１２）、Ｓ２の処理に復帰する。
【００４７】
Ｓ８の処理において制御部１０は、ＮＩＴに基づいて選局中の物理チャンネルのリモコンＩＤを取得する。そして、当該リモコンＩＤに関連付けられた物理チャンネルの情報がチャンネルリストに既に登録済みか否かを判定する。上記物理チャンネルの情報がチャンネルリストに登録されていない（すなわちこれまでに選局した他の物理チャンネルの中で当該リモコンＩＤを割り当てられたものがない）場合（Ｓ８：ＮＯ）、制御部１０は、チャンネルリストに当該リモコンＩＤと選局中の物理チャンネルとを関連付けた情報を登録する（Ｓ９）。次いで、カウント値ｎを１インクリメントし（Ｓ１２）、Ｓ２の処理に復帰する。
【００４８】
また上記物理チャンネルの情報がチャンネルリストに既に登録されている場合（Ｓ８：ＹＥＳ）、制御部１０は、その登録済みの物理チャンネルの弱階層のＢＥＲと、現在選局中の物理チャンネルの弱階層のＢＥＲとを比較してその何れのＢＥＲが高いか否かを判定する（Ｓ１０）。
【００４９】
Ｓ１０の処理において、現在選局中の物理チャンネルの弱階層のＢＥＲが高いと判定されるとき（Ｓ１０：選局チャンネル）、制御部１０は、当該物理チャンネルが登録済みの物理チャンネルよりもその受信状態が良好であると判断する。そしてチャンネルリストにおいて、登録済みの物理チャンネルの情報を現在選局中の物理チャンネルの情報に書き換えて登録する（Ｓ１１）。次いで、カウント値ｎを１インクリメントし（Ｓ１２）、Ｓ２の処理に復帰する。
【００５０】
またＳ１０の処理において、登録済みの物理チャンネルの弱階層のＢＥＲが高いと判定されるとき（Ｓ１０：登録チャンネル）、制御部１０は、当該物理チャンネルが現在選局中の物理チャンネルよりもその受信状態が良好であると判断する。そしてチャンネルリストを書き換えることなくカウント値ｎを１インクリメントし（Ｓ１２）、Ｓ２の処理に復帰する。
【００５１】
本実施形態のチャンネルスキャン処理により、全物理チャンネル（ここではＵＨＦ帯の全チャンネル）のうちの受信状態が良好とされる地上波デジタルＴＶ放送のチャンネルリストが作成される。附言するに本実施形態では、例えば同一のリモコンＩＤが割り当てられた物理チャンネルが複数存在する場合、それらの特定の階層のＢＥＲの各々を比較して、その中で最も受信状態が良好とされる物理チャンネルの情報をチャンネルリストに登録している。
【００５２】
すなわち本実施形態のＴＶ放送受信機によれば、例えば同一のリモコンＩＤが割り当てられた物理チャンネルを複数受信可能な地域に車両が位置する場合であっても最適な物理チャンネルの情報をチャンネルリストに確実に登録することが可能となる。
【００５３】
また従来のＴＶ放送受信機には、特定の階層（例えば強階層）情報だけを参照してチャンネルリストを作成するものもある。この場合、本実施形態の如く強階層が携帯受信階層である場合、映像音声出力装置１００が本来必要とすべき階層（すなわち移動受信階層）と異なるものを参照してチャンネルリストを作成することになり望ましくない。また階層伝送の形態によっては、強階層では例えばフルセグ（１２のＯＦＤＭセグメント）のネットワーク情報を送信し、放送データ（すなわち映像・音声データ）を送信しないものもある。このような場合において、例えば強階層の受信状態が良好でも放送データを伝送する階層の受信状態が悪い物理チャンネルもあり得る。映像音声出力装置１００がこのような物理チャンネルを受信してもその映像・音声を再生することはできない。
【００５４】
本実施形態によれば、車両等の移動体に搭載されたＴＶ放送受信機向けの放送データを伝送する階層のＢＥＲに基づいて、それに対応する物理チャンネルの受信状態の良否を判定している。すなわち適切な（換言するとＴＶ放送受信機の形態に合った）階層のＢＥＲを用いて判定処理を実行している。このため、より適切な物理チャンネルの情報が登録されたチャンネルリストを作成することが可能となる。
【００５５】
以上が本発明の実施形態である。本発明はこれらの実施形態に限定されるものではなく様々な範囲で変形が可能である。
【００５６】
なお、本実施形態のＴＶ放送受信機を具備した映像音声出力装置は車載されたものであるが、別の実施の形態では人が携帯するような機器であっても良い。
【図面の簡単な説明】
【００５７】
【図１】本発明の実施の形態のＴＶ放送受信機を具備した映像音声出力装置の構成を示したブロック図である。
【図２】本発明の実施の形態の映像音声出力装置におけるチャンネルスキャン処理を示したフローチャートである。
【符号の説明】
【００５８】
１０  制御部
１１  デジタルＴＶ用アンテナ
１２  デジタルＴＶ用チューナ
１３  ＯＦＤＭ復調部
１４  ＭＰＥＧデコーダ
２１  音声Ｄ／Ａコンバータ
２４  オーディオアンプ
４０  メモリ
５０  ディスプレイ
６０Ｒ、６０Ｌ  スピーカ
７０  受光部
８０  リモコン
１００  映像音声出力装置
【図１】
2008011315.tif 000003
【図２】
2008011315.tif 000004